(57)【要約】【課題】従来の換気装置では、入浴中に発生する汚れ微粒子の飛散や天井へ付着により、カビが発生するという課題があった。【解決手段】入浴中に運転して、吸込み口８から吸込んだ汚れを含んだ空気を、空気浄化手段１２に通気させて浄化し、循環風吹出し口９から天井面にそって気流を流したことにより、入浴中に発生する汚れ微粒子を捕集して、さらに気流により微粒子が天井面に付着することを抑制することができるため、水分乾燥の促進、カビの発生の抑制が可能となる浴室換気装置１を得られる。【選択図】図１
2018004116.tif 000002
【特許請求の範囲】
【請求項１】
浴室の天井面に設置され下面に開口を有する箱型のフレームと、
前記フレーム内に配設された送風機と、
前記開口を覆う天井パネルとを備えた浴室換気装置において、
前記天井パネルに室内の空気を吸い込むための吸込み口と室内に空気を吹き出して循環させるための循環風吹き出し口とを備え、
前記フレーム内に前記吸込み口と前記循環風吹き出し口とを連通する循環風路と、
前記循環風路に空気中の汚れを捕集する空気浄化手段とを備え、
前記空気浄化手段は湯気捕集気化フィルタを含むことを特徴とする浴室換気装置。
【請求項２】
前記湯気捕集気化フィルタは、
親水性材料を網目状に形成することを特徴とする請求項１に記載の浴室換気装置。
【請求項３】
前記空気浄化手段は、
前記湯気捕集気化フィルタと汚れ捕集フィルタとで構成され、
前記循環風路において前記湯気捕集気化フィルタを前記汚れ捕集フィルタよりも吸込み口側に配置することを特徴とする請求項１または２に記載の浴室換気装置。
【発明の詳細な説明】
【技術分野】
【０００１】
本発明は、浴室や洗面室などのサニタリー空間の天井に設けた開口に埋め込まれ、天井裏に配管されて屋外と連通するダクトに接続され、室内の換気を行う浴室換気装置に関する。
【背景技術】
【０００２】
従来、この種の浴室換気装置としては、換気を対象とする室内とは別の空間から空気を室内側に給気すると同時に、換気対象の室内の空気を排気することでより一層換気、乾燥の効率を高めた浴室換気装置が知られている。（例えば、特許文献１参照）
以下、この種の浴室換気装置について、図９を参照しながら説明する。
【０００３】
図９に示すように、換気装置としての浴室換気装置本体１０１は、建物内の屋根裏空間または天井裏空間に設置され、同時に給気形換気装置１０２が同様の空間に設置される。この換気装置本体１０１は本体フレーム１０３の側面に給気吸込口１０４と他の側面に排気口１０５を有し、この換気装置本体１０１の室内側の面を覆うように、下面に室内吸込部１１１と周辺部に室内吐出部１１２を有した化粧グリル１０６が配設される。また、換気装置本体１０１の内部には電動機１０７が固定されて、その電動機１０７には遠心送風羽根１０８が固定されている。遠心送風羽根１０８は、ケーシング１０９にて形成された給気室内に配設され、その下方にはオリフィス１１０が設けられている。また、本体フレーム１０３とケーシング１０９との間には給気風路１１３を有している。
【０００４】
本構造において、室内の空気は、遠心送風羽根１０８により室内吸込部１１１を通過しオリフィス１１０から換気装置本体１０１内に吸い込まれ、その後、排気口１０５から排気ダクトを介して室外に排気される。一方で、給気形換気装置１０２から吐出された給気は、給気吸込口１０４から導入され、換気装置本体１０１内部の給気風路１１３を通過し、化粧グリル１０６の室内吐出部１１２から室内に給気される構成となっている。
【先行技術文献】
【特許文献】
【０００５】
【特許文献１】特開平７−１４５９７３号公報
【発明の概要】
【発明が解決しようとする課題】
【０００６】
このような従来の浴室換気装置においては、室内の排気のみを行なう浴室換気装置に対して同時に給気を行うことができるため、換気の有効性としては優れてはいた。しかし、カビの原因となる空気中の汚れの付着を抑制するには、汚れが発生する入浴中に換気を動作させなければならず、入浴中の人に直接風が当たり、特に冬期などは寒さを感じるという課題を有していた。
【０００７】
そこで本発明は、上記の従来の課題を解決するものであり、入浴中に運転して、カビの発生、ニオイの残留を抑制し、入浴中の人に直接風があたらない換気装置を提供することを目的とする。
【課題を解決するための手段】
【０００８】
この目的を達成するために、本発明は、室内の天井面に設置され下面に開口を有する箱型のフレームと、前記フレーム内に配設された送風機と、前記開口を覆う天井パネルとを備えた換気装置において、前記天井パネルに室内の空気を吸い込むための吸込み口と室内に空気を吹き出して循環させるための循環風吹き出し口とを備え、前記フレーム内に前記吸込み口と前記循環風吹き出し口とを連通する循環風路と、前記循環風路に空気中の汚れを捕集する空気浄化手段とを備え、前記空気浄化手段は湯気捕集気化フィルタを含むことを特徴としたものであり、これにより所期の目的を達成するものである。
【発明の効果】
【０００９】
本発明によれば、室内の天井面に設置され下面に開口を有する箱型のフレームと、
前記フレーム内に配設された送風機と、前記開口を覆う天井パネルとを備えた換気装置において、前記天井パネルに室内の空気を吸い込むための吸込み口と室内に空気を吹き出して循環させるための循環風吹き出し口とを備え、前記フレーム内に前記吸込み口と前記循環風吹き出し口とを連通する循環風路と、前記循環風路に空気中の汚れを捕集する空気浄化手段とを備え、前記空気浄化手段は湯気捕集気化フィルタを含むものである。その結果、入浴中に人に直接風が当たらないように換気装置を運転することができ、寒さを感じにくくなるとともに、湯気捕集気化フィルタを含む空気浄化手段によって浄化された空気による循環風が、浴室の天井や壁面に対して表面への汚れ付着を抑制することが可能となるため、カビの発生、ニオイの残留を抑制し、入浴中の人に直接風があたらないという効果を奏する。
【図面の簡単な説明】
【００１０】
【図１】本発明の実施の形態１の浴室換気装置を示す側面断面図
【図２】同実施の形態１の天井パネルの正面構造を示す図
【図３】同実施の形態１の空気浄化手段の湯気捕集気化フィルタ構造を示す図
【図４】同実施の形態１の空気浄化手段の汚れ捕集フィルタ構造を示す図
【図５】同実施の形態１の空気浄化手段のフィルタ構成を示す図
【図６】同実施の形態１の天井に付着する汚れの抑制効果を示す概念図
【図７】同実施の形態１の各風路の開度調整状態と機器内部の気流を示す図
【図８】同実施の形態１の浴室側面断面図における操作手段の位置を示す図
【図９】従来の換気装置を示す側面断面図
【発明を実施するための形態】
【００１１】
本発明に係る換気装置としての浴室換気装置は、室内の天井面に設置され下面に開口を有する箱型のフレームと、前記フレーム内に配設された送風機と、前記開口を覆う天井パネルとを備えた換気装置において、前記天井パネルに室内の空気を吸い込むための吸込み口と室内に空気を吹き出して循環させるための循環風吹き出し口とを備え、前記フレーム内に前記吸込み口と前記循環風吹き出し口とを連通する循環風路と、前記循環風路に空気中の汚れを捕集する空気浄化手段とを備え、前記空気浄化手段は湯気捕集気化フィルタを含んでいる。その結果、入浴中に湯気とともに発生する汚れやカビの胞子を、湯気捕集気化フィルタを含む空気浄化手段で集塵することができ、汚れやカビの胞子が含まれていない循環風を天井や壁面に沿って流すことで、浴室の天井や壁面への循環風が表面への汚れ付着を抑制することが可能となるため、カビの発生、ニオイの残留を抑制するという効果を奏する。
【００１２】
また、前記湯気捕集気化フィルタは、親水性材料を網目状に形成したものである。これにより、入浴中に発生する汚れやカビの胞子を含む湯気は親水性の湯気捕集気化フィルタで一旦捕集されるが、湯気捕集気化フィルタは網目状で圧力損失が低く風が全体に行き渡りやすいため、湯気捕集気化フィルタ上に一旦付着した湯気を素早く気化させることができ、そのため湯気捕集気化フィルタの網目部分に水滴が付着したままになることがなく、常に低圧力損失を保つことができる。
【００１３】
また、前記空気浄化手段は、前記湯気捕集気化フィルタと汚れ捕集フィルタとで構成され、前記循環風路において前記湯気捕集気化フィルタを前記汚れ捕集フィルタよりも吸込み口側に配置することを特徴とする。
【００１４】
これにより前記循環風路において上流の湯気捕集気化フィルタで捕集しきれなかった汚れを下流の汚れ捕集フィルタで捕集することができ、その結果、湯気捕集気化フィルタのみの場合よりも汚れ捕集率が高くなるため、入浴中に湯気とともに発生する汚れやカビの胞子を集塵することができ、汚れやカビの胞子が含まれていない循環風を天井や壁面に沿って流すことが可能となるため、天井や壁面にカビ胞子やカビの栄養素となる汚れを付着することを抑制することができ、カビの発生、ニオイの残留を抑制するという効果を奏する。
【００１５】
以下、本発明の実施の形態について図面を参照しながら説明する。
（実施の形態１）
図１に示すように、本実施の形態の換気装置としての浴室換気装置１は、室内（例えば、高湿度の浴室や脱衣室、洗面室、トイレ、衣類乾燥室など）の天井に設置される。本体を形成するフレーム２は、下面に開口２４をもち、一側面に室外へ通ずるダクト３を接続する排気風路４が設けられている。
【００１６】
フレーム２の内部には送風機５が設けられている。送風機５は電動機６の回転軸に固着されており、電動機６の駆動で回転し、遠心力を起動力にして送風を行なう遠心型の送風機の構成である。
【００１７】
また、フレーム２の下面には室内側に開口２４を有しており、開口２４を覆うように天井パネル７を設ける。図２に示すように、この天井パネル７の中央部には、室内からの空気を取り入れるための吸込み口８を設ける。さらに、天井パネル７の周縁部には、天井に沿って水平方向に空気を吹き出すための循環風吹出し口９を設けてある。循環風吹出し口９は、天井パネル７の外周に近い場所に４箇所有し４方向へ吐出する構成となっている。なお、この実施の形態１では４箇所と記載したが、４箇所に限定するものではなく、天井パネル７の外周部から吹き出す形態であれば、その個数は４個以下でも、４個より多くてもよい。
【００１８】
循環風吹出し口９は、天井に沿って気流を形成させるために必要な開口面積と開口面の開口高さ（開口面の短軸）を有する。開口高さは、天井パネル７の厚みの都合上、天井パネル７の表面と天井面との高さ方向の距離よりも小さくなる構成である。開口高さが大きいと、圧力損失が小さくなるため、より多くの風量を得ることができる。一方、開口高さが小さいと、より天井面に近い空間にだけ気流を発生させることができ、さらに同じ風量であれば吹出し風速を上げて、天井面の周縁部まで送風することができる。そのため、設置する部屋の大きさや形状などから、天井の周縁部に必要な風速を得るための、吹き出し風速と風量が得られる最適な形状を設計することが好ましい。開口高さは、例えば、３ｍｍ以上３０ｍｍ以下とするとよい。
【００１９】
循環風吹出し口９には、天井に沿って気流を発生させるために、吹出し風を制御するための気流制御手段１０を設ける。気流制御手段１０は、風向を制御するための平面または曲面からなる整流板やリブなどからなり、固定式または天井パネル７への固定部をヒンジ構造とした可動式とすることができる。天井に沿って気流を流すためには、天井面に対して気流制御手段１０の代表面を平行に設けるか、天井面に向けて角度を設ける。角度としては、天井面に沿わせて、かつ天井面の周縁部まで気流が一定以上の風速をもって到達することができる角度とするために、図示するように、吹き出し風の気流の方向の延長線と天井面とで成す角度をθとすると、天井面と平行に向けて吹き出す場合に角度θは０度となり、例えば角度θは０度以上６０度以下で天井に向けるのがよく、角度θが１０度以下の範囲になるように気流制御手段１０を天井に向けて設置するとより好ましい。
【００２０】
気流制御手段１０を可動させる場合、可動角度を広く取り、循環風吹出し口９の開口面の開閉制御までできると、風路の切り替え制御が容易になるため好ましい。また、循環風を用いて入浴後の天井面への結露水を乾燥させるときなどにも用いることができ、このときには、吹出し風速を高めるために、開口面積を狭めるなど、使用用途に応じて開閉制御や開度の調整を行なうようにするとよい。
【００２１】
フレーム２の内部には吸込み口８と循環風吹出し口９とを連通する循環風路１１を設ける。循環風路１１には、吸込み口８から取り込んだ空気を、送風機５で昇圧して、循環風吹出し口９から放出するために必要な開口や、気流の損失が抑えられるようにするための気流誘導面を形成する。これにより、気流の損失や騒音、振動の発生を抑制し、吸込み口８から効率よく空気を吸い込み、複数の循環風吹出し口９から均等に吹き出すことが可能となる。
【００２２】
循環風路１１内には、室内から取り込んだ空気中に含まれる微粒子状の微細な汚れを捕集して浄化するための空気浄化手段１２を設ける。空気浄化手段１２は、微粒子を捕集することができる構成であって、ろ過方式、衝突捕集方式、静電付着方式、遠心方式、気液接触方式などの方式が適用可能でありいずれの方式にも捉われないが、中でも単純な形状で小型化でき、風路への構造上の影響も少ないろ過方式が好ましい。
【００２３】
図３に示す空気浄化手段１２は、空気中の汚れやカビ胞子などが含まれた湯気を捕集することができる湯気捕集気化フィルタ１２ａであり、接触角５０°から９０°の材質の樹脂または金属のフィルタ素線１２ｃを網目構造に形成したものである。網目構造とは、素線としての細い繊維状の材料を編み込んだものか、または織り込んで形成した２次元構造ないし３次元構造の構成であり、平編、経編、ラッセル編、平織、綾織、畳み織、菱形編などが用いられる。
【００２４】
湯気捕集気化フィルタ１２ａに用いる親水性材料としては、ポリプロピレン、ポリエチレンテレフタレート、ポリエチレンの繊維を網目状に形成したものが好ましい。他の材料としては接触角５０°から９０°の材質の樹脂または金属であれば同様の効果を得ることができる。
【００２５】
また、湯気捕集気化フィルタは編み込んだあとさらに加工しても良く、プリーツ加工やコルゲート加工などウェーブをかけて形成すると低い圧力損失のまま表面積を上げることができ捕集効率を向上させることができる。
【００２６】
また親水性効果により、水分を吸着しやすくなるため、湯気の捕集効率を上げることができる。またこのとき使用される繊維は、線径０．１ｍｍ以上から５．０ｍｍ以下の太さのものがよく、より好ましくは０．５ｍｍ以上１．０ｍｍ以下である。これらの太い繊維を使用することで、繊維奥に入り込む水が少なくてすみ、さらに親水素材であるため水が一部に固まらず全体に行き渡るため、捕集された湯気は結合して水滴になる前に気化され、網目に水滴が溜まり続けることを防ぐことができる。これにより低い圧力損失でありながら湯気の捕集効率を上げることができる。
【００２７】
また図４に示すような汚れ捕集フィルタ１２ｂは樹脂または繊維を網目状に形成したものであり、親油性であることが好ましい。これにより湯気捕集気化フィルタから気化した水分は汚れ捕集フィルタに付着することはなく、一方で、湯気捕集気化フィルタで捕集しきれなかった皮脂などの親油性の成分を吸着することができる。また、このとき使用される繊維は、線径０．１ｍｍ以上から５．０ｍｍ以下の太さのものがよく、より好ましくは０．１ｍｍ以上１．０ｍｍ以下である。これにより湯気捕集気化フィルタで捕集しきれなかった汚れやカビ胞子を汚れ捕集フィルタで捕集することができ、空気浄化手段１２の捕集効率を向上することができる。
【００２８】
また、図５に示すように空気浄化手段１２は、吸込み口８と送風機５の間に設置され、湯気捕集気化フィルタ１２ａと汚れ捕集フィルタ１２ｂとで構成されており、湯気捕集気化フィルタ１２ａが吸込み口８側にあり、汚れ捕集フィルタ１２ｂが送風機５側にあることが好ましい。これにより、湯気捕集気化フィルタ１２ａによって湯気が捕集されるが、捕集された湯気は水滴とならずに気化するため、網目上に水滴の形成がなく低い圧力損失であり、また湯気捕集気化フィルタ１２ａで捕集しきれなかった汚れやカビ胞子を汚れ捕集フィルタ１２ｂで捕集することができる。これによりさらに捕集効率を上げることができる。
【００２９】
尚、ろ過方式で用いられるフィルタとしては、他に発泡体や粒子を成形したもの、あるいはパンチング素材や引っ張りや圧縮で形成した構造など、浴室内の空気に含まれる湯気と汚れを捕集できる素材であれば、多孔体の材料であってもよく、特に限定されるものではない。
【００３０】
このような空気浄化手段１２で捕集される汚れとしては、例えば入浴中に発生し湯気に乗って浴室内に漂うせっけんや皮脂などの脂質を含む有機物や、浴室の天井や壁面から飛散するカビの胞子などが考えられる。これらは、主に入浴中に入浴者から発生して、浴室の空気中に拡散し、天井や壁面などに到達して結露水として結露するとともに付着するものと考えられている。結露水の主要な成分は水分であるため、入浴後の換気や温風乾燥などによって水分を蒸発させて除去できるが、皮脂などの汚れは高沸点化合物であるため、壁面に付着した後は、残留し、入浴を繰り返すことによって蓄積するものと考えられている。図６は浴室を繰り返し使用することによる汚れの付着蓄積の概念図を示す。従来は、入浴中には換気扇を止めてしまうため、汚れは浴室内に充満し、微量ではあるが天井などに付着する。これを繰り返すことで、徐々に汚れの量が増加してカビの発生に繋がってしまうものと考えられる（破線Ｂで示す）。これらの有機物の汚れは、同じく天井や壁面に付着したカビの栄養源となり、カビの成長を促進させてしまうことに繋がる。一方、本実施の形態で示すように、入浴中に空気中の汚れを捕集して汚れ付着を抑制することができれば、天井や壁面における汚れの蓄積を防ぎ、カビの発生を抑制することができる（直線Ａ）。
【００３１】
空気浄化手段１２に捕集された汚れは、蓄積し続けるとカビの発生源となる可能性があるため、捕集した汚れを自動で除去するか、使用者が容易に取り外して洗浄することができるようにする必要がある。付着した汚れの除去すなわち汚れを脱離するためには、空気加熱脱着や温水洗浄、洗剤洗浄、酸化分解、ブラシなどの物理洗浄などを用いることができるが、構造を単純化できることから、空気加熱脱着方式を用いることがよい。
【００３２】
空気加熱脱着を行なうために、図１に示すように循環風路１１に空気加熱手段１３を設ける。空気加熱手段は、内部の熱源か、あるいは外部の熱源から媒体を供給して雰囲気の空気を加熱するためのものであり、空気との接触を増やすために、放熱板を備える。熱源としては、電気式のヒーターや温水などがあるが、いずれに限定されるものではない。例えば、電気式のヒーターであれば、ニクロム、チタン、鉄、銅、を導線としたもの、または前記導線をセラミック、石英ガラスなどの絶縁素材に埋設、あるいは被覆したものを用いることができる。
【００３３】
空気加熱手段１３で加熱した空気は、空気浄化手段１２に通気して空気浄化手段１２の表面を加熱し、汚れを脱離させたのち、ダクトを通じて屋外に排出される。汚れを脱離させる空気の温度は高いほど効果が高いが、材料の劣化を招く恐れがあるため、４０℃以上２００℃以下がよく、好ましくは６０℃以上１２０℃以下である。このとき、空気浄化手段１２は、金属製であると熱による材料の劣化が少ないため好ましい。
【００３４】
空気加熱手段１３は、浴室内の空気を暖めるための暖房用の温風発生手段として使用しても良い。このとき、空気加熱手段１３の位置は、図１に示すように、浴室の洗い場に向けて空気を吹き出すための局所吹出し口１４の近くであることが好ましい。このとき、暖めた空気を空気浄化手段１２に循環させるために、循環風路１１の空気浄化手段１２の上流側と、空気加熱手段１３の下流側を連通するための、加熱循環風路１５を設ける。さらに、加熱循環風路１５や局所吹出し口１４の開度を調整する加熱循環風路開度調整手段１６や局所吹出し口開度調整手段１７を設けると、運転モードに応じて開度を調整することで、適宜風路を切り替えて、加熱脱着や、浴室暖房を個別に行なうことができるため、都合が良い。尚、開度の調整には、ダンパーやシャッターを用いることがよく、これらは個別に設けたダンパーやシャッターの開度を調整するための電動機の回転量で適切な位置に制御できるようにするとより好ましい。
【００３５】
図７は、それぞれの風路、吹出し口に開度調整手段の状態と空気の流れを示す図である。
【００３６】
図７（ａ）で示すように、入浴中に空気浄化を行なう際には、加熱循環風路開度調整手段１６と局所吹出し口開度調整手段１７とを閉止して、かつ図にはないが排気風路４も閉止して、循環風吹出し口９から気流が吐出されるようにする。
【００３７】
これを数日繰り返して汚れが蓄積すると、空気浄化手段１２の付着汚れを加熱脱着で排出するために、図７（ｂ）で示すように、加熱循環風路開度調整手段１６を開放し、排気風路４を開放して機内で加熱空気を循環しながら汚れを再放出させた空気を、ダクトを通じて屋外に排出する。
【００３８】
さらに、図７（ｃ）で示すように、浴室暖房や、衣類乾燥などに加熱空気を用いる場合には、局所吹出し口開度調整手段１７を所定の方向に開放し、かつ加熱循環風路開度調整手段１６と、循環風の気流制御手段１０を閉止して局所吹出し口１４から温風が吹き出すように制御を行なう。
【００３９】
図１に示すように、本体の吸込み口８付近には、浴室内の温度を検知するための温度検知手段１８や、湿度を検知するための湿度検知手段１９を設けることができる。本機能は、特に入浴中に浴室内に発生する湯気や汚れの飛散を回収、除去して空気を浄化するためのものである。そのため、温度検知手段１８が浴室内の急激な温度上昇を検知し、かつ湿度検知手段１９が浴室内のシャワー行為や湯張りによる湯気の発生を検知して、自動で運転開始させることで、入浴開始後に発生する大量の微細汚れが天井面などに付着することを抑制することができるため好ましい。温度検知手段１８は、温度を電気的に検知できるものがよく、例えばサーミスタなどを用いる。また、湿度検知手段１９は、空気中の相対湿度や絶対水分量を検知できるものであればよく、例えば、高分子抵抗式、高分子容量式、酸化アルミ容量式、塩化リチウム式、アスマン通風式乾湿計などが知られており、いずれに限定されるものではないが、安定性が高く、相対湿度を検知でき、コストが安いことなどから、高分子抵抗式が好ましい。尚、湿度検知手段１９の検知情報を補完するために、近い位置に温度検知手段１８を設置し、組み合わせて使用することも有用である。
【００４０】
また、これらの検知手段以外に、微細な汚れ粒子を直接検知できる微粒子検知手段２０を設けても良い。微粒子のうちでも、汚れとして浴室内に漂う大きさのものを検知できるように調整されたものがよく、例えば、レンズと光源としてのレーザーまたはＬＥＤと受光部としてのフォトダイオードを用いた光学式の検知手段が使用できる。
【００４１】
これらの構成を用いた場合の浴室換気装置１の動作について説明する。本発明の浴室換気装置１は、浴室のカビの原因の一つとなる入浴中に発生する微細な粒子状の有機物を除去するために、入浴中に動作させる。図８に示すように、入浴開始後、使用者が自ら浴室換気装置１の起動手段２１を起動させるか、あるいは浴室換気装置１に設置されている温度検知手段１８や湿度検知手段１９などの検知手段によって入浴開始を検知したのち、浴室換気装置１の運転が開始される。運転が開始されると、まず排気風路４と加熱循環風路１５が閉じられ、送風機５が動作して吸込み口８から浴室内の空気を吸い込んで、空気浄化手段１２と循環風路１１を通じて、循環風吹出し口９から天井に沿って空気を吹き出し、浴室２３内を循環送風する。
【００４２】
図８に示すように、浴室換気装置１は、浴室２３の天井にて下方を向いて設置されており、湯気の上昇気流によって、床面や浴槽のお湯の液面あるいはシャワー浴の際の人体表面から天井に向かって飛散した微粒子を空気とともに吸込み口８から吸い込む。吸い込まれた微粒子は、循環風路１１に設置されている空気浄化手段１２を通過し、ろ過、吸着によって有機物などの汚れ成分が捕集される。この時、湯気も同時に空気浄化手段１２に捕集されるが、空気浄化手段１２を通過する空気によって直ちに蒸発するため、空気浄化手段１２が結露水によって閉塞してしまう恐れは少ない。空気浄化手段１２を通過した空気は、送風機５によって昇圧され、循環風路１１の下流に送気される。空気浄化手段１２により浄化された空気は、それぞれの循環風吹出し口９を通じて、天井面の表面に沿って送風される。浴室２３内で飛散している微粒子は、天井面への付着を抑制され、サーキュレーション効果によって再び床面付近に降下する。浴室換気装置１から送風される循環風は空気浄化手段１２によって微粒子を除去したものであるため、天井付近の空気中に含まれる微粒子の濃度を下げることができ、カビの発生を抑制する効果を高めることができる。
【００４３】
入浴終了後、浴室内の湿気を排出するために換気運転に切り替える。切り替えは、リモコンなどの操作手段２２によって行う。換気運転を行うときは、吸込み口８から吸い込まれた空気は、排気風路４から、ダクト３を通って屋外へ排気される。
【００４４】
循環風吹出し口９から天井に沿って循環風を吐出することにより、浴室２３内の空気を浴室換気装置１に吸引する流れに加えて、空気が行き渡りにくい部分にも空気を送ることが可能となる。空気浄化手段１２により浄化された空気が浴室内全体に行き渡るため、ニオイの残留の抑制、水分乾燥の促進が可能となる。さらに、浴室内を乾燥状態に保つことが可能となるため、カビの発生も抑制できることとなる。
【産業上の利用可能性】
【００４５】
本発明に係る浴室換気装置は、浴室や洗面室などの水廻りの高湿度環境における浴室換気装置として活用が期待され、または室内用の換気装置としても活用が期待されるものである。
【符号の説明】
【００４６】
１    浴室換気装置
２    フレーム
３    ダクト
４    排気風路
５    送風機
６    電動機
７    天井パネル
８    吸込み口
９    循環風吹出し口
１０    気流制御手段
１１    循環風路
１２    空気浄化手段
１２ａ    湯気捕集気化フィルタ
１２ｂ    汚れ捕集フィルタ
１２ｃ    フィルタ素線
１３    空気加熱手段
１４    局所吹出し口
１５    加熱循環風路
１６    加熱循環風路開度調整手段
１７    局所吹出し口開度調整手段
１８    温度検知手段
１９    湿度検知手段
２０    微粒子検知手段
２１    起動手段
２２    操作手段
２３    浴室
２４    開口
【図１】
2018004116.tif 000003
【図２】
2018004116.tif 000004
【図３】
2018004116.tif 000005
【図４】
2018004116.tif 000006
【図５】
2018004116.tif 000007
【図６】
2018004116.tif 000008
【図７】
2018004116.tif 000009
【図８】
2018004116.tif 000010
【図９】
2018004116.tif 000011